(57)【要約】【課題】芯材用合板を要することなく、スタッドバー１１を所要強度で取り付けることができ、かつ施工コストの低いクローゼット用棚支持構造を提供すること。【解決手段】サイドバー１０に長穴１０ａを横一列に並べて形成し、いずれかの長穴１０ａにビス１７や釘等を通すことで、壁１６裏側の芯材１８若しくは柱１９にサイドバー１０を固定し、芯材１８や柱１９に固定したサイドバー１０にスタッドバー１１を固定する。壁１６裏側の芯材１８や柱１９の位置に拘わらずスタッドバー１１を所要取付強度で、かつ所要ピッチで取り付けることができる。また、補強用バー１２にも長穴１２ａを横に並べて形成し、芯材１８や柱１９の位置に拘わらず補強バー１２を芯材１８や柱１９に固定できるようにして、スタッドバー１１の取付強度を一層高める。【選択図】　図１
2004076427.tif 000002
【特許請求の範囲】
【請求項１】
ビスや釘等を通すための複数の長穴を横一列に並べて形成したサイドバーを備え、該長穴にビス、釘等を通して前記サイドバーを壁の芯材若しくは柱に横向きに固定し、このサイドバーにスタッドバーを縦向きに取り付けて固定し、スタッドバーで棚を支持するようにしたことを特徴とするクローゼット用棚支持構造。
【請求項２】
ビスや釘等を通すための複数の長穴を横一列に並べて形成した補強用バーを備え、該補強用バーの両端を前記スタッドバーに連結すると共に、前記長穴にビス、釘等を通して壁の芯材若しくは柱に前記補強バーを横向きに固定したことを特徴とする請求項１に記載のクローゼット用棚支持構造。
【発明の詳細な説明】
【０００１】
【発明の属する技術分野】
本発明はクローゼット用棚支持構造に関する。
【０００２】
【従来の技術】
クローゼット用棚支持構造の一形式として、図５及び図６に示すように、複数本のスタッドバーａを壁ｂに立設し、このスタッドバーａで棚を支持するようにした棚支持構造が知られている。かかる棚支持構造にあっては、スタッドバーａの取付強度を確保するためスタッドバーａを壁ｂの裏側にある柱や芯材ｃにビスや釘等で固定する必要がある。そのためスタッドバーａが壁の芯材ｃのある位置にしか取り付けることができない。そこで、壁ｂのに厚手の合板ｄ等を張り付け、この合板ｄを柱ｃに固定して、スタッドバーａを固定する芯材にしている。
【０００３】
【発明が解決しようとする課題】
上記した従来のクローゼット用棚支持構造では、壁ｂを芯材用合板ｄで覆う必要があり、クローゼットの施工コストが高くなる。
本発明はかかる問題点に鑑み、芯材用合板を要することなく、スタッドバーを所要強度で取り付けることができ、かつ施工コストの低いクローゼット用棚支持構造を提供することを目的とする。
【０００４】
【課題を解決するための手段】
請求項１に記載の発明は、クローゼット用棚支持構造であって、ビスや釘等を通すための複数の長穴を横一列に並べて形成したサイドバーを備え、該長穴にビス、釘等を通して前記サイドバーを壁の芯材若しくは柱に横向きに固定し、このサイドバーにスタッドバーを縦向きに取り付けて固定し、スタッドバーで棚を支持するようにしたことを特徴とする。
請求項２に記載の発明は、請求項１に記載のクローゼット用棚支持構造において、ビスや釘等を通すための複数の長穴を横一列に並べて形成した補強用バーを備え、該補強用バーの両端を前記スタッドバーに連結すると共に、前記長穴にビス、釘等を通して壁の芯材若しくは柱に前記補強バーを横向きに固定したことを特徴とする。
【発明の作用・効果】
【０００５】
請求項１に記載の発明によれば、サイドバーに長穴を横一列に並べて形成したので、いずれかの長穴にビスや釘等を通すことで、壁裏側の芯材若しくは柱にサイドバーを固定し、芯材に固定したサイドバーにスタッドバーを固定できる。このため、壁の芯材若しくは柱の位置に拘わらずスタッドバーを所要取付強度で、かつ所要ピッチで取り付けることができる。
請求項２に記載の発明によれば、補強用バーにも長穴を横に並べて形成したので、芯材若しくは柱の位置に拘わらず補強バーを芯材もしくは柱にに固定でき、スタッドバーの取付強度を一層高めることができる。
【０００６】
【発明の実施の形態】
以下に本発明を図面に基づき説明するに、図１には本発明の一実施形態に係るクローゼット用棚支持構造が示されている。当該クローゼット用棚支持構造は、上下一対のサイドバー１０、４本のスタッドバー１１、３本の補強バー１２、網棚１３、アングル１４のセット、ハンガーパイプ１５のセットから構成される。
【０００７】
サイドバー１０は第１垂直面１０ａと、第１垂直面の一端から直角に折れ曲がった水平面１０ｂと、水平面１０ｂの端部から直角に折れ曲がった第２垂直面１０ｃを有し、第１垂直面１０ａと第２垂直面１０ｃに横に長い長穴１０ｅ，１０ｆが横一列に並べて形成されている。第２垂直面１０ｃの長穴１０ｆは第１垂直面１０ａの長穴１０ｅに比べ長いピッチで設けられている。図２に示すように、両サイドバー１０は第１垂直面１０ａを壁１６に横向きに当接し、ネジ１７を壁の裏側の芯材１８と柱１９に打ち付けて固定する。サイドバー１０を固定するとき、ネジ１７を芯材１８や柱１９に打ち付けることができるように第１垂直面１０ａの長穴１０ｅを選択する。
【０００８】
スタッドバー１１は断面コ字形を有し、中間面に縦２列の長穴１１ａが等ピッチで形成され、中間面の上下両端にネジ穴が形成されている。図３に示すようよに、スタッドバー１１は上下両端部をサイドバー１０の内側に差し込み、ビス２０をサイドバー１０の第２垂直面１０ｃの長穴１０ｆを通してネジ穴にねじ込んでサイドバー１０に固定する。
【０００９】
補強バー１２は断面コ字形を有し、中間面に長穴１２ａが横一列に等ピッチで形成されている。補強バー１２の両端部には図４に示すように、係止片１２ｂが中間面から折り曲げて形成されている。補強バー１２は両端部の係止片１２ｂをスタッドバー１１の長穴１１ａに差し込んで係止し、中間面の長穴１２ａのいずれかにネジ２１を通して、このネジ２１を芯材１８と柱１９に打ち付けることで、芯材１８と柱１９に固定される。
【００１０】
図１に示すように、アングルセットは一対のアングル１４から成り、各アングル１４は後端部の上下２箇所に凸設した係止片１４ａをスタッドバー１１の長穴１１ａに差し込んで係止する。網棚１３はスタットバー１１に係止した両アングル１４の上に載置し、アングル１４の上端部に形成した係止穴１４ｂに係止して取り付けられる。
【００１１】
ハンガーパイプセットは一対のステー２２と一本のハンガーパイプ１５から成る。各ステー２２はアングル１４に形成したステー取付穴１４ｃにその上端部を係止してアングル１４から垂設する。ハンガーパイプ１５はステー１４下端部のパイプ取付穴に端部を差し込み、ビス２３で固定してステー２２に取り付けられる。
【００１２】
以上説明したように、本実施形態に係るクローゼット用棚支持構造では、サイドバー１０に長穴１０ａを横一列に並べて形成したので、いずれかの長穴１０ａにビス１７や釘等を通すことで、壁１６裏側の芯材１８若しくは柱１９にサイドバー１０を固定し、芯材１８や柱１９に固定したサイドバー１０にスタッドバー１１を固定できる。このため、壁１６裏側の芯材１８や柱１９の位置に拘わらずスタッドバー１１を所要取付強度で、かつ所要ピッチで取り付けることができる。
また、補強用バー１２にも長穴１２ａを横に並べて形成したので、芯材１８や柱１９の位置に拘わらず補強バー１２を芯材１８や柱１９に固定でき、スタッドバー１１の取付強度を一層高めることができる。
【図面の簡単な説明】
【図１】本発明の一実施形態に係るクローゼット用棚支持構造を示す斜視図である。
【図２】同棚支持構造におけるサイドバーの取付方法を示す斜視図である。
【図３】同棚支持構造におけるスタッドバーの取付方法を示す斜視図である。
【図４】同棚支持構造における補強バーの取付方法を示す斜視図である。
【図５】従来のクローゼット用棚支持構造を示す斜視図である。
【図６】同棚支持構造を示す横断断面図である。
【符号の説明】
１０…サイドバー、１０ｅ…長穴、１１…スタッドバー、１２…補強バー、１２ａ…長穴、１６…壁、１８…芯材、１９…柱。
【図１】
2004076427.tif 000003
【図２】
2004076427.tif 000004
【図３】
2004076427.tif 000005
【図４】
2004076427.tif 000006
【図５】
2004076427.tif 000007
【図６】
2004076427.tif 000008